(57)【要約】放送スタジオや制作スタジオなどのスタジオに配設されたビデオラックに収容することが可能なビデオ用パネル装置に関するものである。ビデオ用パネル装置１は、フレームベース２と、フレームベース２に回動可能に設けられると共に、表示部と操作部３３が主に設けられたパネルフレーム３と、フレームベース２に対するパネルフレーム３の傾斜角度を調整する角度調整手段４とを備えており、角度調整手段４は、複数の切り欠き溝４２を有する回動部４０と、回動部４０の切り欠き溝４２に係合する係合部４１とを備え、上記傾斜角度を段階的に調整することができる。
2003043312.tif 000002
【特許請求の範囲】
【請求項１】
フレームベースと、
上記フレームベースに回動可能に設けられたパネルフレームと、
上記フレームベースに対する上記パネルフレームの傾斜角度を調整する角度調整手段とを備えていることを特徴とするビデオ用パネル装置。
【請求項２】
上記角度調整手段は、複数の切り欠き溝を有する回動部と、上記回動部の上記切り欠き溝に係合する係合部とを備えており、上記傾斜角度を段階的に調整することを特徴とする請求項１に記載のビデオ用パネル装置。
【請求項３】
上記回動部は、上記フレームベースに設けられていて、上記係合部は、上記パネルフレームに設けられていることを特徴とする請求項２に記載のビデオ用パネル装置。
【請求項４】
上記回動部は、上記パネルフレームに設けられていて、上記係合部は、上記フレームベースに設けられていることを特徴とする請求項２に記載のビデオ用パネル装置。
【請求項５】
上記係合部は、板バネの先端に形成されていることを特徴とする請求項２乃至４のいずれか一つに記載のビデオ用パネル装置。
【請求項６】
上記係合部は、プランジャーの先端に形成されていることを特徴とする請求項２乃至４のいずれか一つに記載のビデオ用パネル装置。
【請求項７】
上記パネルフレームには、表示部と操作部とが設けられていて、
上記角度調整手段によって、上記フレームベースに対する上記パネルフレームの傾斜角度が調整されることにより、上記表示部と上記操作部は、上記フレームベースに対する傾斜角度が一体に調整されることを特徴とする請求項１乃至６のいずれか一つに記載のビデオ用パネル装置。
【請求項８】
上記表示部は、ビデオモニターを有していることを特徴とする請求項７に記載のビデオ用パネル装置。
【請求項９】
上記ビデオモニターは、液晶モニターであることを特徴とする請求項８に記載のビデオ用パネル装置。
【請求項１０】
上記操作部は、プッシュ式ボタンを有していることを特徴とする請求項７乃至９のいずれか一つに記載のビデオ用パネル装置。
【請求項１１】
上記切り欠き溝に対する上記係合部の係合力は、使用者が上記操作部を操作する際に上記操作部にかかる外力よりも大きく設定されていることを特徴とする７乃至１０のいずれか一つに記載のビデオ用パネル装置。
【請求項１２】
上記角度調整手段によって調整される上記傾斜角度は、−１０〜１０度であることを特徴とする請求項１乃至１１のいずれか一つに記載のビデオ用パネル装置。
【請求項１３】
上記角度調整手段によって調整される上記傾斜角度は、０度であることを特徴とする請求項１２に記載のビデオ用パネル装置。
【発明の詳細な説明】
技術分野
本発明は、放送スタジオや制作スタジオなどのスタジオに配設されたビデオラックに収容することが可能なビデオ用パネル装置に関するものである。
背景技術
放送スタジオや制作スタジオなどのスタジオには、ビデオラックが配設されており、このビデオラックには、ビデオ用パネル装置などが収容されている。ビデオ用パネル装置は、フレームベースとパネルフレームとから主に構成されている。より具体的に説明すると、フレームベースは、上面が開放した筐体に形成されていて、フレームベースの下面には、ビデオ用電気機器が取り付けられている。このフレームベースは、上面がビデオラックの表側に位置し、ビデオ用電気機器などが取り付けられた下面がビデオラックの奥側に位置するようにビデオラックに設けられている。フレームベースには、フレームベースの上面側にパネルフレームが取り付けられている。パネルフレームには、主として、ビデオモニター等の表示部と、ボタン等の操作部が取り付けられている。操作部は、表示部の表示面近傍に設けられている。
上記表示部は、回動可能にパネルフレームに取り付けられていて、使用者が所望の角度から表示部の表示面を見ることができるようになっている。すなわち、パネルフレームに対して、表示部の表示面の角度を所望の角度に変化させることができる。特に、表示部が液晶モニターである場合には、使用者は、視野角の範囲内のみでしか表示面を視認することができないため、表示部がパネルフレームに対して回動可能に取り付けられることは有効である。
しかしながら、上述のように、従来のビデオ用パネル装置は、表示部の表示面の角度を所望の角度に変化させることはできても、表示部の表示面の近傍に設けられている操作部は角度変化させることができないため、使用者にとっては不便である。
本発明は、上述のような従来技術の問題点に鑑みてなされたものであり、表示部の表示面と操作部とを一体に角度変化させることにより、使用者の利便性及び操作性を向上させることができるビデオ用パネル装置を提供することを目的とする。
発明の開示
本発明は、フレームベースと、上記フレームベースに回動可能に設けられたパネルフレームと、上記フレームベースに対する上記パネルフレームの傾斜角度を調整する角度調整手段とを備えていることを特徴とするビデオ用パネル装置を提供する。
また、上記角度調整手段は、複数の切り欠き溝を有する回動部と、上記回動部の上記切り欠き溝に係合する係合部とを備えており、上記傾斜角度を段階的に調整することができる。
また、上記回動部を上記フレームベースに設けることができ、上記係合部を上記パネルフレームに設けることができる。
また、上記回動部を上記パネルフレームに設けることができ、上記係合部を上記フレームベースに設けることができる。
また、上記係合部を板バネの先端に形成することができる。
また、上記係合部をプランジャーの先端に形成することができる。
また、上記パネルフレームには、表示部と操作部とが設けられていて、角度調整手段によって、上記フレームベースに対する上記パネルフレームの傾斜角度が調整されることにより、上記表示部と上記操作部は、上記フレームベースに対する傾斜角度が一体に調整されている。
また、上記表示部は、ビデオモニターを有することができる。
また、上記ビデオモニターは、液晶モニターにすることができる。
また、上記操作部は、プッシュ式ボタンを有することができる。
また、上記切り欠き溝に対する上記係合部の係合力を、使用者が上記操作部を操作する際に上記操作部にかかる外力よりも大きく設定することができる。
また、上記角度調整手段によって調整される上記傾斜角度を、−１０〜１０度にすることができる。
さらに、上記角度調整手段によって調整される上記傾斜角度を、０度にすることができる。
発明の実施の形態
以下、本発明にかかるビデオ用パネル装置の実施の形態について図面を参照しながら述べる。図１において、符号１は、本発明にかかるビデオ用パネル装置を示している。図１に示すように、このビデオ用パネル装置１は、フレームベース２と、フレームベース２に回動可能に設けられたパネルフレーム３と、フレームベース２に対するパネルフレーム３の傾斜角度を調整する角度調整手段４とから主に構成されている。
より具体的に説明すると、フレームベース２は、上面が開放した筐体の形状を備えおり、フレームベース２の下面２１の外側には、図示しないビデオ用電気機器などが取り付けられている。このフレームベース２は、上面がビデオラックの表側に位置し、ビデオ用電気機器などが取り付けられた下面２１がビデオラックの奥側に位置するようにビデオラックに設けられる。
フレームベース２には、フレームベース２の上面側にパネルフレーム３が回動可能に取り付けられている。図２に示すように、フレームベース２の側部２２は、内側板２３と外側板２４とで二重に形成されている。内側板２３と外側板２４との間の幅寸法は、パネルフレーム３の側板３１の肉厚寸法よりも大きく形成されていて、内側板２３と外側板２４との間にパネルフレーム３の側板３１が介在している。外側板２４の中心位置（図１において符号８０で示す位置）には、挿入口２５が形成されていて、この挿入口２５には、ネジ１４の頭部が挿入されており、該頭部が回転軸として機能している。一方、内側板２３には、挿入口２５と対応する位置にネジ穴２６が形成されていて、このネジ穴２６には、ネジ１４のネジ部が螺合している。また、パネルフレーム３の側板には、挿入口２５及びネジ穴２６と対応する位置に貫通口３２が形成されている。内側板２３と側板３１との間にはブッシュ５が介在し、外側板２４と側板３１の間にはワッシャー６が介在している。上記ネジ１４のネジ部は、挿入口２５、ワッシャー６、貫通口３２、ブッシュ５を介してネジ穴２６に螺合され、これによって、パネルフレーム３は、フレームベース２の上面側にネジ１４を中心にして回動可能に取り付けられる。なお、図２には、フレームベース２の一方の側部２２のみしか示していないが、フレームベース２の他方の側部２２にも、上述と同様な構成で、パネルフレーム３がフレームベース２に回動可能に取り付けられている。
図１に示すように、パネルフレーム３には、表示部（図示せず）と操作部３３が主に設けられている。図２に示す符号３４は、表示部が取り付けられる取付部を示し、符号３５は、操作部３３が取り付けられる取付部を示している。表示部は、液晶モニター等のビデオモニターを有しており、操作部３３は、調整用つまみ３６やプッシュ式ボタン３７や図示しないランプ（ＬＥＤ）やスイッチ等を有している。上記表示部と上記操作部３３は、パネルフレーム３に並設されている。
次に、本発明の特徴部分である角度調整手段４について説明する。図１に示すように、角度調整手段４は、パネルフレーム３の下端中央部に設けられた回動部４０と、フレームベース２の下面２１の内側に設けられた係合部としての板バネ４１とで主に構成されている。図示のように、回動部４０は、パネルフレーム３の下端中央部からフレームベース２の下面側に突出した、前記外側板２４の中心位置８０（回動中心）を中心にした略半円板状に形成されていて、外周に複数の切り欠き溝４２が形成されている。図示のものは、３つの切り欠き溝４２が形成されている。板バネ４１は、その先端４３が切り欠き溝４２に係合するように、フレームベース２の下面２１の内側中心に設けられており、板バネ４１が係合する切り欠き溝４２を切り換えることにより、フレームベース２に対するパネルフレーム３の傾斜角度を段階的に調整することができる。
図１に示すものは、板バネ４１が、３つの切り欠き溝４２のうちの真ん中に位置する切り欠き溝４２に係合しており、このときのフレームベース２に対するパネルフレーム３の傾斜角度は０度に調整されている。
図３に示すものは、板バネ４１が、３つの切り欠き溝４２のうちの右側に位置する切り欠き溝４２に係合しており、このときのフレームベース２に対するパネルフレーム３の傾斜角度は１０度に調整されていて、図３においてパネルフレーム３の左側がフレームベース２の表側から突出し、右側がフレームベース２の内側に入り込んだ状態となっている。
図４に示すものは、板バネ４１が、３つの切り欠き溝４２のうちの左側に位置する切り欠き溝４２に係合しており、このときのフレームベース２に対するパネルフレーム３の傾斜角度は−１０度に調整されていて、図４においてパネルフレーム３の右側がフレームベース２の表側から突出し、左側がフレームベース２の内側に入り込んだ状態となっている。
以上のように、板バネ４１の先端４３が係合する切り欠き溝４２を切り換えることにより、フレームベース２に対するパネルフレーム３の傾斜角度を段階的に調整することができる。使用者は、表示部を所望の角度に調整したい場合、表示部あるいは操作部３３を手で押圧して、板バネ４１の先端４３が係合する切り欠き溝４２を切り換えることにより、フレームベース２に対するパネルフレーム３の傾斜角度を所望の角度に段階的に調整するができ、表示部を所望の角度に調整することができる。また、この角度調整によって、表示部と操作部３３は、フレームベース２に対する傾斜角度が一体に調整されるため、使用者の利便性及び操作性を向上させることができる。
ここで、切り欠き溝４２に対する板バネ４１の係合力は、使用者が操作部３３を操作する際に操作部３３にかかる外力（例えば、使用者が操作部３３のプッシュ式ボタン３６を押す押力）よりも大きく設定されている。従って、使用者が操作部３３を操作する際に操作部３３にかかる外力によっては、フレームベース２に対するパネルフレーム３の傾斜角度は変化しない。
上記実施の形態では、回動部４０はパネルフレーム３に設けられ、係合部としての板バネ４１はフレームベース２に設けられているが、回動部４０をフレームベース２に設け、板バネ４１をパネルフレーム３に設けてもよい。
また、回転軸は、ネジ１４でなくてもよい。例えば、ネジが付いてない軸棒であってもよく、要は、パネルフレーム３をフレームベース２に回動可能に取り付けることができるものであれば、どのようなものであってもよい。しかしながら、上述のように、回転軸としてネジ１４を用いて、ネジ１４のネジ部を挿入口２５、ワッシャー６、貫通口３２、ブッシュ５を介してネジ穴２６に螺合させた構成にすることにより、がたつきを防止することができる。また、回転軸は、フレームベース２の一方の側部２２のみでもよい。
また、係合部は、ボールプランジャー等のプランジャーにすることができる。図５には、係合部としてボールプランジャー７０を用いた場合を示している。図５に示すように、このボールプランジャー７０は、フレームベース２側に設けられていて、ボールプランジャー７０の先端にあるボール７１が、パネルフレーム３側に設けられた回動部４０の各切り欠き溝４２に係合するようになっている。なお、ボールプランジャー７０の取付位置等は、前記板バネ４１と同様なので具体的な説明は省略する。
また、図６に示すように、上記角度調整機構４は、ネジ１４のネジ部２７とネジ穴２６とで主に構成することができる。前述のように、ネジ１４は、そのネジ部２７がネジ穴２６に螺合されているため、このネジ穴２６に対するネジ１４のネジ部２７の螺合力を、使用者が操作部３３を操作する際に操作部３３にかかる外力（例えば、使用者が操作部３３のプッシュ式ボタン３７を押す押力）よりも大きく設定する。これによって、使用者が操作部３３を操作する際に操作部３３にかかる外力によっては、フレームベース２に対するパネルフレーム３の傾斜角度は変化しない。
このように、角度調整機構４をネジ１４のネジ部２７とネジ穴２６とで構成することにより、前述のように回動部４０及び板バネ４１（図１及び図２参照）を設ける必要がなく、装置全体の構成を簡略化することができる。また、フレームベース２に対するパネルフレーム３の傾斜角度を、段階的に調整するのではなく、無段階に調整することができるため、使用者は、所望の傾斜角度（例えば、７度など）に微調整することができる。
【図面の簡単な説明】
図１は、本発明にかかるビデオ用パネル装置の実施の形態を示す平面図である。図２は、上記実施の形態を示す部分横断面図である。図３は、上記実施の形態を示す平面図である。図４は、上記実施の形態を示す平面図である。図５は、別の実施の形態を示す部分横断面図である。図６は、さらに別の実施の形態を示す部分横断面図である。
【図１】
2003043312.tif 000003
【図２】
2003043312.tif 000004
【図３】
2003043312.tif 000005
【図４】
2003043312.tif 000006
【図５】
2003043312.tif 000007
【図６】
2003043312.tif 000008
【国際調査報告】
2003043312.tif 000009
2003043312.tif 000010
2003043312.tif 000011